(57)【特許請求の範囲】
【請求項１】
通信システムのための通信装置であって、
複数の通信デバイスと通信するように構成されるトランシーバと、
ｉ）前記複数の通信デバイスのうちの少なくとも１つの通信デバイスによって使用するための帯域部分のインデックスと、ｉｉ）前記少なくとも１つの通信デバイスによって使用するための前記帯域部分内の少なくとも１つのリソースブロックの割当を識別するための情報とを決定し、
前記少なくとも１つのリソースブロックの前記割当の位置を一意に識別するための制御データを生成する、
ように構成された、コントローラと、
を備え、
前記トランシーバは、前記制御データを前記少なくとも１つの通信デバイスにシグナリングするように動作可能であり、
前記帯域部分は、セル帯域幅内の一組のリソースブロックから成り、
前記制御データは、前記インデックス及び前記情報に基づいて生成され、
前記セル帯域幅は、複数の等しいサイズの帯域部分から成り、
前記帯域部分は、前記等しいサイズの帯域部分のそれぞれより狭いリソースブロックを有する少なくとも１つの更なる帯域部分を含み、
前記少なくとも１つの更なる帯域部分は、前記セル帯域幅の中央に／その付近に位置し、
前記少なくとも１つの更なる帯域部分には、前記等しいサイズの帯域部分の前記それぞれより高い数値インデックスが割り当てられる、
通信装置。
【請求項２】
前記セル帯域幅は、それらの複数のインデックスが数値である複数の等しいサイズの帯域部分から成り、前記複数のインデックスは、最も低いインデックスがセル帯域幅の上側周波数端及び下側周波数端にある帯域部分を表し、該複数のインデックスが前記セル帯域幅の中央に向かって増加するように配置される、請求項１に記載の通信装置。
【請求項３】
複数の帯域部分の数は、以下の式を用いて規定され、
【数１】
0006614424.tif 000085
ここで、ＮＢは、前記帯域部分の総数であり（それぞれ等しいサイズの帯域部分が一組の「ｎ」個のリソースブロックから成る）、ＮＲＢは、前記セル帯域幅内のリソースブロックの総数であり、
【数２】
0006614424.tif 000086
は、天井関数である（すなわち、「ｘ」以上である最小の整数）、請求項１または２に記載の通信装置。
【請求項４】
前記等しいサイズの帯域部分の数は、次式を用いて規定され、
【数３】
0006614424.tif 000087
ここで、ＮＢｗｈｏｌｅは、それぞれが一組の「ｎ」個のリソースブロックから成る、前記等しいサイズの帯域部分の数であり、
【数４】
0006614424.tif 000088
は、床関数である（すなわち、「ｘ」以下である最大の整数）、請求項３に記載の通信装置。
【請求項５】
前記決定されたインデックスが、前記等しいサイズの帯域部分のうちの１つの帯域部分のインデックスであるとき、前記コントローラは、前記取得されたインデックスと、割当を識別するための前記情報とを共同符号化し、共同符号化された制御データを形成することによって、前記少なくとも１つのリソースブロックの割当の位置を一意に識別するための前記制御データを生成するように更に構成される、請求項１〜４のいずれか一項に記載の通信装置。
【請求項６】
前記共同符号化された制御データは、以下の式を用いて導出され、
ＪＥＳＲＩＶ＝ＲＩＶ＋２１＊ｋ
ここで、ＪＥＳＲＩＶは、前記共同符号化された制御データであり、ｋは、前記取得されたインデックスであり、ＲＩＶは、割当を識別するための前記情報であり、帯域部分ｋ内の少なくとも１つのリソースブロックの割当を表す固有値から成る、請求項５に記載の通信装置。
【請求項７】
前記コントローラは、第１の値（ｋ）及び第２の値（ＲＩＶ）から成る、前記少なくとも１つの更なる帯域部分内の少なくとも１つのリソースブロックの割当を一意に識別するための制御データを生成するように更に構成され、前記第１の値及び前記第２の値は、前記少なくとも１つの更なる帯域部分内の前記少なくとも１つのリソースブロックの割当の、連続して割当てられるリソースブロックにおける、開始リソースブロック（ＲＢｓｔａｒｔ）と長さ（ＬＣＲＢｓ）とを表すリソース指示値（ＲＩＶ’）に所定の数学的関係を通して関連付けられる、請求項１〜６のいずれか一項に記載の通信装置。
【請求項８】
前記第１の値（ｋ）及び前記第２の値（ＲＩＶ）と前記リソース指示値（ＲＩＶ’）との間の前記所定の数学的関係は、以下の式を用いて規定される、
ＲＩＶ’＝ＲＩＶ−２１＋１１ｋ
請求項７に記載の通信装置。
【請求項９】
前記コントローラは、前記少なくとも１つの通信デバイスと通信するために使用される前記帯域部分が少なくとも１つの周波数ホップを受けて変化するが、前記通信のために使用される前記帯域部分内の前記少なくとも１つのリソースブロックの割当は変化しないホッピングパターンに従って、リソースを割り当てるように更に構成される、請求項１〜８のいずれか一項に記載の通信装置。
【請求項１０】
前記コントローラは、以下の方式を用いてリソースを割り当てるように構成され、
【数５】
0006614424.tif 000089
ここで、ｎＰＲＢ（ｎｓ）は、前記ホッピングパターンを適用した後に割当てられたリソースであり、ｎｓは、サブフレーム内のスロット番号であり、ｆｈｏｐ（ｉ）は、前記ホッピングパターンであり、ＳＦＮは、サブフレーム番号であり、ｋｆｉｒｓｔは、前記ホッピングパターンが適用されている最も低い帯域部分インデックスであり、Ｎｓｂは、前記ホッピングパターンが適用されている、ｋｆｉｒｓｔから開始して連続して番号を付与された帯域部分の数であり、ｋＶＲＢは、前記ホッピングパターンが適用されている帯域部分のインデックスであり、
【数６】
0006614424.tif 000090
は、前記セル帯域幅に対する、インデックスｋを有する帯域部分の第１のリソースブロックのインデックスであり、
【数７】
0006614424.tif 000091
は、帯域部分に対する、割当てられたリソースブロックのインデックスである、請求項９に記載の通信装置。
【請求項１１】
前記コントローラは、少なくとも幾つかの帯域部分においてミラーリングパターンに従ってリソースを割り当てるように更に構成され、前記少なくとも１つの通信デバイスと通信するために使用される前記帯域部分の前記インデックスは、前記少なくとも幾つかの帯域部分の数値インデックスを付与された高い方の半分のうちのインデックスと、前記少なくとも幾つかの帯域部分の数値インデックスを付与された低い方の半分のうちのインデックスとを交互にとる、請求項１〜１０のいずれか一項に記載の通信装置。
【請求項１２】
前記コントローラは以下の方式を用いてリソースを割り当てるように構成され、
【数８】
0006614424.tif 000092
ここで、ｎＰＲＢ（ｎｓ）は、前記ミラーリングパターンを適用した後に割当てらたリソースであり、ｎｓは、サブフレーム内のスロット番号であり、ＳＦＮはサブフレーム番号であり、ｋｆｉｒｓｔは、前記ミラーリングパターンが適用されている最も低い帯域部分インデックスであり、Ｎｓｂは、前記ミラーリングパターンが適用されている、連続して番号を付与された帯域部分の数であり、ｋＶＲＢは、前記ミラーリングパターンが適用されている帯域部分のインデックスであり、
【数９】
0006614424.tif 000093
は、前記セル帯域幅に対する、インデックスｋを有する帯域部分の第１のリソースブロックのインデックスであり、
【数１０】
0006614424.tif 000094
は、帯域部分に対する、割当てられたリソースブロックのインデックスである、請求項１１に記載の通信装置。
【請求項１３】
ロングタームエボリューション（ＬＴＥ）無線アクセスネットワークの基地局から成る、請求項１〜１２のいずれか一項に記載の通信装置。
【請求項１４】
通信装置と通信するための通信デバイスであって、
前記通信装置から、少なくとも１つのリソースブロックの割当の位置を一意に識別するための制御データを受信するためのトランシーバと、
前記受信した制御データから、ｉ）前記通信デバイスによって使用するための帯域部分のインデックスと、ｉｉ）前記通信デバイスによって使用するための前記帯域部分内の少なくとも１つのリソースブロックの割当を識別するための情報とを取得するためのコントローラと、
を備え、
前記トランシーバは、前記少なくとも１つのリソースブロックの割当を用いて、前記通信装置を介してユーザデータを通信するように動作可能であり、
前記帯域部分は、セル帯域幅内の一組のリソースブロックから成り、
前記帯域部分は、等しいサイズの帯域部分のそれぞれより少ないリソースブロックを有する少なくとも１つの更なる帯域部分を含み、
前記少なくとも１つの更なる帯域部分は、前記セル帯域幅の中央に／その付近に位置し、
前記少なくとも１つの更なる帯域部分には、前記等しいサイズの帯域部分の前記それぞれより高い数値インデックスが割り当てられる、通信デバイス。
【請求項１５】
前記制御データは、前記インデックスと、前記少なくとも１つのリソースブロックの割当を識別するための前記情報とを共同符号化することによって形成された、共同符号化された制御データから成る、請求項１４に記載の通信デバイス。
【請求項１６】
前記コントローラは、共同符号化された制御データから、以下の式を用いて、前記少なくとも１つのリソースブロックの割当を識別するための前記情報を取得するように動作可能であり、
【数１１】
0006614424.tif 000095
ここで、ＪＥＳＲＩＶは前記共同符号化された制御データであり、ｋは前記通信デバイスによって使用するための帯域部分のインデックスであり、ＲＩＶは、割当を識別するための前記情報であり、帯域部分ｋ内の少なくとも１つのリソースブロックの割当を表す固有値から成る、請求項１５に記載の通信デバイス。
【請求項１７】
通信システムのための通信装置によって実行される方法であって、
複数の通信デバイスと通信し、
ｉ）前記複数の通信デバイスのうちの少なくとも１つの通信デバイスによって使用するための帯域部分のインデックスと、ｉｉ）前記少なくとも１つの通信デバイスによって使用するための前記帯域部分内の少なくとも１つのリソースブロックの割当を識別するための情報とを決定し、
前記少なくとも１つのリソースブロックの前記割当の位置を一意に識別するための制御データを生成し、
前記制御データを前記少なくとも１つの通信デバイスにシグナリングする、
ことを含み、
前記帯域部分は、セル帯域幅内の一組のリソースブロックから成り、
前記制御データは、前記インデックス及び前記情報に基づいて生成され、
前記セル帯域幅は、複数の等しいサイズの帯域部分から成り、
前記帯域部分は、前記等しいサイズの帯域部分のそれぞれより狭いリソースブロックを有する少なくとも１つの更なる帯域部分を含み、
前記少なくとも１つの更なる帯域部分は、前記セル帯域幅の中央に／その付近に位置し、
前記少なくとも１つの更なる帯域部分には、前記等しいサイズの帯域部分の前記それぞれより高い数値インデックスが割り当てられる、方法。
【請求項１８】
通信装置と通信するための通信デバイスによって実行される方法であって、
前記通信装置から、少なくとも１つのリソースブロックの割当の位置を一意に識別するための制御データを受信し、
前記受信した制御データから、ｉ）前記通信デバイスによって使用するための帯域部分のインデックスと、ｉｉ）前記通信デバイスによって使用するための前記帯域部分内の少なくとも１つのリソースブロックの割当を識別するための情報とを取得し、
少なくとも１つのリソースブロックの前記割当を用いて、前記通信装置を介してユーザデータを通信し、
前記帯域部分は、セル帯域幅内の一組のリソースブロックから成り、
前記帯域部分は、等しいサイズの帯域部分のそれぞれより少ないリソースブロックを有する少なくとも１つの更なる帯域部分を含み、
前記少なくとも１つの更なる帯域部分は、前記セル帯域幅の中央に／その付近に位置し、
前記少なくとも１つの更なる帯域部分には、前記等しいサイズの帯域部分の前記それぞれより高い数値インデックスが割り当てられる、
方法。
【発明の詳細な説明】
【技術分野】
【０００１】
本発明は、移動通信デバイス及び移動通信ネットワークに関し、限定はしないが、特に、第３世代パートナーシッププロジェクト（３ＧＰＰ）標準規格又はその均等物若しくは派生物に従って動作する移動通信デバイス及び移動通信ネットワークに関する。本発明は、限定はしないが、特に、ＬＴＥアドバンストを含む、ＵＴＲＡＮのロングタームエボリューション（ＬＴＥ）（発展型ユニバーサル地上無線アクセスネットワーク（Ｅ−ＵＴＲＡＮ）と呼ばれる）に関連する。
【背景技術】
【０００２】
移動（セルラ）通信ネットワークでは、複数の（ユーザ）通信デバイス（ユーザ機器（ＵＥ）、例えば複数の移動電話機としても知られている）が、複数の基地局を介して複数のリモートサーバ又は他の複数の通信デバイスと通信する。それらの互いの通信において、複数の通信デバイス及び複数の基地局は、通常は複数の周波数帯域及び／又は複数の時間ブロックに分割されている、認可された複数の無線周波数を用いる。
【０００３】
遠距離通信における近年の開発では、人間の援助なしで通信し動作を行うように配設された、複数のネットワーク接続デバイスである複数のマシンタイプ通信（ＭＴＣ）ＵＥの使用の大幅な増加が見られている。そのような複数のデバイスの例には、複数のスマートメータが含まれる。これらのスマートメータは、測定を行い、これらの測定値を、遠距離通信ネットワークを介して他の複数のデバイスに中継するように構成され得る。複数のマシンタイプ通信デバイスは、複数のマシンツーマシン（Ｍ２Ｍ）通信デバイスとしても知られており、「Study on provision of low-cost Machine-Type Communications (MTC) User Equipments (UEs) based on LTE」と題する３ＧＰＰ技術報告書（ＴＲ）３６．８８８  Ｖ１２．０．０及び「Revised WI : Further LTE Physical Layer Enhancements for MTC」と題する３ＧＰＰ作業項目資料ＲＰ−１５０４９２において論じられてきた。両方の文書の内容は、引用することによって本明細書の一部をなす。
【０００４】
複数のＭＴＣデバイスは、リモート「マシン」（例えば、サーバ）若しくはユーザに送信するデータ又はそれらから受信するデータを有するときは常に、ネットワークに接続する。複数のＭＴＣデバイスは、複数の移動電話機又は類似のユーザ機器用に最適化された、通信プロトコル及び標準規格を用いる。一方、複数のＭＴＣデバイスは、一旦配置されると、通常、人間の管理もインタラクションも必要とすることなく動作し、内部メモリに記憶された複数のソフトウェア命令に従う。複数のＭＴＣデバイスは、長期間静止した状態及び／又は非アクティブな状態に留まる場合もある。複数のＭＴＣデバイスをサポートする複数の特定のネットワーク要件は、３ＧＰＰ  ＴＳ２２．３６８標準規格（Ｒｅｌ−１２に対するバージョン１２．４．０及びＲｅｌ−１３に対するバージョン１３．１．０）において取り扱われている。この内容は、引用することによって本明細書の一部をなす。
【０００５】
複数のＭＴＣデバイスに関する複数の標準規格のリリース１３（Ｒｅｌ−１３）バージョンについては、ダウンリンク及びアップリンクにおける１．４ＭＨｚの削減帯域幅のサポートが想定されている。このため、幾つかのＭＴＣデバイス（「削減帯域幅ＭＴＣデバイス」と呼ばれる）は、全ＬＴＥ帯域幅と比較して制限された帯域幅（通常、１．４ＭＨｚ）しかサポートせず、及び／又はより少ない／単純化された構成要素を有する場合がある。これによって、そのような「削減帯域幅」ＭＴＣデバイスを、より大きな帯域幅をサポートし及び／又はより複雑な構成要素を有するＭＴＣデバイスと比較して、より経済的に作製することが可能になる。
【０００６】
さらに、ネットワークカバレッジの欠如（例えば、屋内に配置されるとき）は、複数のＭＴＣデバイスの多くの場合に制限された機能と組み合わさって、そのようなＭＴＣデバイスが有するデータレートの低下をもたらす可能性があり、したがって、幾つかのメッセージ又はチャネルがあるＭＴＣデバイスによって受信されないリスクが存在する。このリスクを軽減し、そのような複数の「削減帯域幅」ＭＴＣデバイスをより良好にサポートするために、特定の複数の制御チャネル、例えば、物理ブロードキャストチャネル（ＰＢＣＨ）、物理ランダムアクセスチャネル（ＰＲＡＣＨ）、および物理ダウンリンク制御チャネル（ＰＤＣＣＨ）、又はＲｅｌ−１３における拡張ＰＤＣＣＨ（「ＥＰＤＣＣＨ」）のカバレッジを増加させることが提案されてきた。これは、結果として信号の受信に成功する可能性を高めることができる、複数の送信信号の繰り返しによって達成される（例えば、最大で２０ｄＢのカバレッジ拡張に対応する）。そのようなカバレッジの拡張を容易にするために、各ＭＴＣデバイスは、自身のサービング基地局がその制御シグナリングを適切に調整することを可能にするのに必要とされるカバレッジの量（例えば、５ｄＢ／１０ｄＢ／１５ｄＢ／２０ｄＢのカバレッジ拡張）をこの基地局に知らせる必要がある。
【０００７】
しかしながら、ＬＴＥシステム帯域幅が通常、１．４ＭＨｚより大きく（すなわち、最大で２０ＭＨｚに）なると、システム帯域幅は、それぞれが最大で６物理リソースブロック（ＰＲＢ）から成る複数の「狭帯域」（又は、複数の「サブバンド」）に分割される必要があり、６物理リソースブロックは、１．４ＭＨｚ帯域幅制限ＭＴＣデバイスがＬＴＥにおいて使用され得る、最大ＰＲＢ数である。Ｒｅｌ−１３の場合、狭帯域は、とりわけ、以下の複数の要件も満たす必要がある。
−一組のＤＬ及びＵＬの狭帯域（ら）が複数のＵＥに知られている必要がある。
−狭帯域内の複数のＰＲＢが古いＰＲＢマッピングに合わせられる必要がある。
−システム帯域幅にわたる周波数ホッピングは、少なくともプライマリ及びセカンダリ同期信号（ＰＳＳ／ＳＳＳ）及びＰＢＣＨの場合に使用されるべきでない。
−少なくともカバレッジ拡張モードにおいて、複数の共通のメッセージ（ランダムアクセス応答、ページング、ＭＴＣシステム情報ブロック（ら）等）のためのシステム帯域幅にわたる周波数ホッピングをサポートする。
−複数の狭帯域間の複数のホッピングパターンをサポートする。
−各狭帯域が、一組の連続した複数のＰＲＢ（例えば、最大６つまでの隣接するＰＲＢ）を有しなければならない。
−少なくともＴＤＤの場合に、同じ組の複数の狭帯域が、ダウンリンク及びアップリンクの両方に対して指定される必要がある。
−複数の狭帯域は重なってはならない。
【発明の概要】
【発明が解決しようとする課題】
【０００８】
しかしながら、本発明者らは、Ｒｅｌ−１３の複数の低複雑度ＭＴＣ  ＵＥ（及び潜在的には、他の、例えば、複数の非ＭＴＣ  ＬＴＥ  ＵＥ）のためのリソース割当シグナリングの効率を低下させることなく、ＬＴＥシステム帯域幅内でそのような複数の狭帯域を与える簡単な方法が存在しないことを理解している。
【０００９】
したがって、本発明は、上記の複数の要件も満たしながら、複数の低複雑度ＭＴＣ  ＵＥのための効率的なリソース割当シグナリングを達成することができるように、複数の狭帯域を与えるためのシステム、デバイス及び方法を提供することを目指す。
【課題を解決するための手段】
【００１０】
一態様において、本発明は、通信システムのための通信装置であって、通信装置は、セル帯域幅を有するセルを運用するためのコントローラと；上記セル内の複数の通信デバイスと通信するためのトランシーバと；を備え、コントローラは、上記セル帯域幅を、各帯域部分が上記セル帯域幅より狭い周波数帯域幅を占有するそれぞれの組のリソースブロックから成り、各帯域部分がその帯域部分を識別するためのそれぞれのインデックスを有する、複数の重なり合わない帯域部分として扱い；ｉ）上記複数の通信デバイスのうちの少なくとも１つの通信デバイスによって使用するための帯域部分のインデックスと、ｉｉ）上記少なくとも１つの通信デバイスによって使用するためのその帯域部分内の少なくとも１つのリソースブロックの割当を識別するための情報とを取得し；上記取得したインデックスと割当を識別するための上記情報とから、上記セル帯域幅内で上記少なくとも１つのリソースブロックの上記割当の位置を一意に識別するための制御データを生成する；ように動作可能であり、上記トランシーバは、上記制御データを上記少なくとも１つの通信デバイスにシグナリングするように動作可能である。
【００１１】
他の態様において、本発明は、通信システムのための通信装置であって、通信装置は、セル帯域幅を有するセルを運用するためのコントローラと；上記セル内の複数の通信デバイスと通信するためのトランシーバと；を備え、コントローラは、上記セル帯域幅を、各帯域部分が上記セル帯域幅より狭い周波数帯域幅を占有するそれぞれの組のリソースブロックから成り、各帯域部分がその帯域部分を識別するためのそれぞれのインデックスを有する、複数の重なり合わない帯域部分として扱い；複数の重なり合わない帯域部分は、複数の等しいサイズの帯域部分と、上記等しいサイズの帯域部分のそれぞれより少ないリソースブロックを有する少なくとも１つの更なる帯域部分とを含み、上記少なくとも１つの通信デバイスによって使用するための少なくとも１つの更なる帯域部分内の少なくとも１つのリソースブロックの割当を識別するための情報を取得し；割当を識別するための上記取得した情報から、上記セル帯域幅内で上記少なくとも１つのリソースブロックの上記割当の位置を一意に識別するための制御データを生成する；ように動作可能であり、上記トランシーバは、上記制御データを上記少なくとも１つの通信デバイスにシグナリングするように動作可能である。
【００１２】
さらに他の態様において、本発明は、通信装置によって運用され、関連するセル帯域幅を有するセル内で通信するための通信デバイスであって、上記セル帯域幅は、複数の重なり合わない帯域部分として扱われ、各帯域部分は上記セル帯域幅より狭い周波数帯域幅を占有するそれぞれの組のリソースブロックから成り、各帯域部分は、その帯域部分を識別するためのそれぞれのインデックスを有し、通信デバイスは、上記通信装置から、上記セル帯域幅内で、少なくとも１つのリソースブロックの割当の位置を一意に識別するための制御データを受信するためのトランシーバと；上記受信した制御データから、ｉ）当該通信デバイスによって使用するための帯域部分のインデックスと、当該通信デバイスによって使用するためのその帯域部分内の少なくとも１つのリソースブロックの割当を識別する情報とを取得するためのコントローラと；を備え、トランシーバは、少なくとも１つのリソースブロックの上記割当を用いて、上記通信装置を介してユーザデータを通信するように動作可能である。
【００１３】
さらなる態様において、本発明は、通信装置によって運用され、関連するセル帯域幅を有するセル内で通信するための通信デバイスであって、上記セル帯域幅は、複数の重なり合わない帯域部分として扱われ、各帯域部分は上記セル帯域幅より狭い周波数帯域幅を占有するそれぞれの組のリソースブロックから成り、各帯域部分は、その帯域部分を識別するためのそれぞれのインデックスを有し、複数の重なり合わない帯域部分は複数の等しいサイズの帯域部分と、これらの等しいサイズの帯域部分のそれぞれより少ないリソースブロックを有する少なくとも１つの更なる帯域部分とから成り、通信デバイスは、上記通信装置から、上記セル帯域幅内で少なくとも１つのリソースブロックの割当の位置を一意に識別するための制御データを受信するためのトランシーバと；上記受信した制御データから、当該少なくとも１つの通信デバイスによって使用するための少なくとも１つの更なる帯域部分内の少なくとも１つのリソースブロックの上記割当を識別するための情報を取得するためのコントローラと；を備え、トランシーバは、少なくとも１つのリソースブロックの上記割当を用いて、上記通信装置を介してユーザデータを通信するように動作可能である。
【００１４】
本発明の態様は、上記で示した又は特許請求の範囲において記載される態様及び可能な形態において記載されるような方法を実行するようにプログラマブルプロセッサをプログラムするように、及び／又は特許請求の範囲のいずれかの請求項において記載される装置を提供するように適切に構成されたコンピュータをプログラムするように動作可能である命令が記憶されたコンピュータ可読記憶媒体のような対応するシステム、方法及びコンピュータプログラム製品に及ぶ。
【００１５】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は、任意の組み合わせにおいて又は個々に、その独立請求項に取り込まれる場合がある。
【００１６】
次に、本発明の例示的な実施形態を、単に例として、添付の図面を参照しながら説明する。
【図面の簡単な説明】
【００１７】
【図１】本発明の複数の実施形態を適用することができる遠距離通信システムを示す概略図である。
【図２】図１に示す通信デバイスの主要な構成要素を示すブロック図である。
【図３】図１に示す基地局の主要な構成要素を示すブロック図である。
【図４】図１に示されるシステム内でＭＴＣデバイス適合狭帯域を与えることができる例示的な方法を示す図である。
【図５】複数の狭帯域のための複数のリソース割当を符号化するための符号木を示す概略図である。
【図６】図１に示されるシステム内の複数のＭＴＣデバイスのための周波数ホッピング／ミラーリングを実現することができる例示的な方法を示す図である。
【図７】図１に示されるシステム内の複数のＭＴＣデバイスのための周波数ホッピング／ミラーリングを実現することができる例示的な方法を示す図である。
【発明を実施するための形態】
【００１８】
＜概略＞
図１は、（移動電話機３−１及びＭＴＣデバイス３−２等の）複数の通信デバイス３がＥ−ＵＴＲＡＮ基地局５（「ｅＮＢ」と表記する）及びコアネットワーク７を介して互いに及び／又は他の複数の通信ノードと通信することができる移動（セルラ）遠距離通信システム１を概略的に示す。当業者であれば理解するように、図１には、例示の目的で、１つの移動電話機３−１、１つのＭＴＣデバイス３−２、及び１つの基地局５が示されているが、このシステムは、実施されるとき、通常、他の基地局及び通信デバイスを含む。
【００１９】
基地局５は、Ｓ１インターフェースを介してコアネットワーク７に接続されている。単純にするために図１からは省略しているが、コアネットワーク７は、とりわけ、インターネット等の他のネットワーク及び／又はコアネットワーク７の外部でホストされるサーバに接続するためのゲートウェイと、通信ネットワーク１内における複数の通信デバイス３（例えば、移動電話機及びＭＴＣデバイス）の複数の位置のトラックを維持するための移動管理装置Mobility Management Entity（ＭＭＥ）と、加入関連情報（例えば、どの通信デバイス３がマシンタイプ通信デバイスとして構成されているのかを識別する情報）を記憶するとともに、各通信デバイス３に固有の制御パラメータを記憶する加入者管理装置Home Subscriber Server（ＨＳＳ）とを備える。
【００２０】
基地局５は、例えば、物理ダウンリンク制御チャネル（ＰＤＣＣＨ）及び物理アップリンク制御チャネル（ＰＵＣＣＨ）を含む複数の制御チャネルを提供するように構成されている。ＰＤＣＣＨは、（通常、現在のスケジューリングラウンドにおいてスケジューリングされている各通信デバイスに、それぞれのＵＥ固有のダウンリンク制御情報（ＤＣＩ）を送信することによって）複数のリソースを複数の通信デバイス３に割り当てるために、基地局５によって用いられる。ＰＵＣＣＨは、ＵＥ固有のアップリンク制御情報（ＵＣＩ）（例えば、ＤＣＩによって割当てられた複数のリソースを用いて受信されたダウンリンクデータに対応する適切なＨＡＲＱのＡｃｋ／Ｎａｃｋフィードバック）を基地局に送信するために、複数の通信デバイス３によって用いられる。
【００２１】
各通信デバイス３は、複数のＵＥのカテゴリのうちの１つ以上に分類してよい。第１のカテゴリの複数のＵＥは、基地局５のセル内で利用可能な全帯域幅にわたって通信することができる、複数の移動電話機のような、複数の従来の（すなわち、非ＭＴＣ）通信デバイスを含む。第２のカテゴリの複数のＵＥは、複数の削減帯域幅ＵＥ（例えば、１．４ＭＨｚ帯域幅のみを用いることが可能なＲｅｌ−１３の複数のＭＴＣデバイス）を含む。これらのＵＥは、基地局５のセルにおいて利用可能な帯域幅全体にわたって通信することができない。第３のカテゴリの複数のＵＥは、複数のカバレッジ拡張ＵＥ（例えば、幾つかのＭＴＣデバイス）を含む。これらのＵＥは、幾つかの特定の基地局機能が単純化及び／又は緩和されることを要する（ただし、そのような複数のカバレッジ拡張ＵＥは、他の機能を通常どおりサポートしてもよい）。第３のカテゴリの複数のＵＥは、（１．４ＭＨｚ帯域幅のみを使用することができるときに）第２のカテゴリの複数のＵＥのサブセットと見なされてよいことが分かるだろう。
【００２２】
そのセル内でそのような複数の削減帯域幅ＭＴＣデバイスをサポートするために、図１の基地局５のシステム帯域幅は、複数の重なり合わない狭帯域に分割される。システム帯域幅内の複数の狭帯域は、Ｒｅｌ−１３の複数の低複雑度ＭＴＣ  ＵＥ用の複数の狭帯域に関して効率的なリソース割当シグナリングを維持することができるように割当てられる。具体的には、システム帯域幅内の狭帯域の総数は、以下の式を用いて規定される。
【数１】
0006614424.tif 000002
ここで、ＮＢは、システム帯域幅内の狭帯域の総数であり、
【数２】
0006614424.tif 000003
は、システム帯域幅内のダウンリンク（ＤＬ）リソースブロックの総数であり、
【数３】
0006614424.tif 000004
は、天井関数（ceiling function）である（すなわち、「ｘ」以上の最小の整数）。
【００２３】
これらのうち、全６ＰＲＢ狭帯域の数が、以下の式を用いて規定される。
【数４】
0006614424.tif 000005
ここで、ＮＢｗｈｏｌｅは、１．４ＭＨｚ狭帯域（それぞれが６ＰＲＢを含む）の数であり、
【数５】
0006614424.tif 000006
は、床関数（flooring function）である（すなわち、「ｘ」以下の最大の整数）。
【００２４】
この例において、基地局５のセル内のシステム帯域幅は、５０ＰＲＢである。
【数６】
0006614424.tif 000007
それは、周波数帯域幅の約１０ＭＨｚに対応する。各狭帯域は、６ＰＲＢから成り（すなわち、帯域幅制限ＭＴＣデバイスが使用することができる最大ＰＲＢ数）。それゆえ、結果として、全部で４８ＰＲＢのシステム帯域幅を占有する最大で全８狭帯域（ＮＢｗｈｏｌｅ＝８）を与えることができる。さらに、２ＰＲＢからなる単一の部分狭帯域も与えられる。それゆえ、狭帯域の総数は９である（ＮＢ＝９）。
【００２５】
複数の狭帯域がシステム帯域幅に厳密に分割されないとき（大抵の場合）、これらの残りのＰＲＢを無視するのではなく、６つより少ないＰＲＢを含む部分狭帯域が規定されることが有益である。
【００２６】
幾つかの例において、この部分狭帯域は、システム帯域幅の端に最も近い複数のＰＲＢであるように規定されることが有益である。しかしながら、他の特に有益な例では、部分狭帯域は、システム帯域幅の端から離れて、例えば、システム帯域幅の中央に、又は中央付近に規定される。
【００２７】
複数の狭帯域には、複数のＭＴＣデバイスへの複数の狭帯域の効率的な割当てを助長するために、かつ、或る狭帯域から別の狭帯域へのホッピングの効率的な実施を助長するために、複数のインデックス番号が与えられことが有益である。幾つかの例において、ＰＲＢ番号の昇順にインデックス修飾が配列される。しかしながら、他の特に有益な例では、インデックス修飾は、システム帯域幅の一方の外端から開始し、インデックス番号がシステム帯域幅の中央に向かって増加し、システム帯域幅の両側で交互に付与されるように配列され、それにより、周波数ダイバーシティの潜在的な改善と、ホッピング機能の効率性とを与える（例えば、特定のデバイスが或る狭帯域から別の狭帯域にホップするとき、インデックス番号が徐々に増加していく）。
【００２８】
しかしながら、システム帯域幅内のその配置、及び／又は複数の狭帯域が番号を付与される方法にかかわらず、部分狭帯域が存在する場合には、それに最も高い狭帯域インデックス（すなわち、最も低い狭帯域インデックスが「０」であると仮定すると、「ＮＢ−１」）を割り当てることが有益であることが分かるであろう。また、周波数ホッピングのためにいかなる部分狭帯域も使用されないが、それでも、他の複数のＵＥ（すなわち、図１において示される移動電話機３−１のような、周波数ホッピングを実行しない複数のＵＥ及び／又は１．４ＭＨｚ帯域幅に制限されない複数のＵＥ）への動的な割当てのために使用されてもよいことも分かるだろう。
【００２９】
しかしながら、事業者は、複数のＭＴＣデバイスに対して別個のキャリアを割り当てたいかもしれない。したがって、この場合に、そのようなＭＴＣ特有キャリアの全ての利用可能な複数のリソースが複数のＭＴＣ  ＵＥのために予約されるだろうことが分かるだろう。この場合、６つ未満のＰＲＢを含む部分狭帯域が存在する場合には、そのような部分狭帯域の複数のリソースを複数のＭＴＣ  ＵＥに対して（全６ＲＢ狭帯域の複数のリソースとともに）スケジューリングされ得る。
【００３０】
この例において、複数のリソースのスケジューリングは、割当てられた狭帯域インデックスと、３ＧＰＰ  ＴＳ３６．２１３  Ｖ１２．６．０のセクション７．１．６．３においてタイプ２の複数のリソース割当のために規定されるリソース指示値（ＲＩＶ）との共同符号化（joint encoding）を適用することによって実現されることが有益である。ＲＩＶは、開始リソースブロックと、連続して割当てられるリソースブロックの数とを含むリソース割当を、単一の固有値に符号化する。
【００３１】
この例において、狭帯域インデックスとリソース割当との共同符号化は以下の式を用いて導出される。
ＪＥＳＲＩＶ＝ＲＩＶ＋２１＊ｋ
ここで、ＪＥＳＲＩＶは、ＭＴＣデバイスにシグナリングされ、かつ共同符号化された狭帯域インデックス及びリソース指示値に対応する固有値であり、ＲＩＶはリソース指示値であり、ｋは狭帯域インデックスである。
【００３２】
共同符号化された狭帯域インデックスとリソース指示値との使用は、割り当てられた狭帯域（任意の部分狭帯域を含む）とリソース割当とを特定のＭＴＣデバイスにシグナリングする特に効率的な方法を表すことがわかる。
【００３３】
上記のように規定された複数の狭帯域の予想外の１つの利点は、周波数ホッピングを効率的に適用できるようになるという利点である。具体的には、そのような複数の狭帯域の使用は、複数の狭帯域インデックスを用いて或る狭帯域から別の狭帯域に直接ホッピングすることによって、所定のホッピングパターンを用いて複数のＭＴＣデバイスのための周波数ホッピングをサポートすることを可能にする。これは、全帯域幅内で複数の割当てられるリソースの相対的な位置と、ＰＲＢの数に関する各ホップのサイズとを規定するのを不要にする。したがって、より高い周波数ダイバーシティのような、周波数ホッピングに関連付けられる利点を、既知の（例えば、Ｒｅｌ−８）ホッピングパターンを用いて効率的に実現することができ、それにより、後方互換性を維持することができる。
【００３４】
＜通信デバイス＞
図２は、図１に示す通信デバイス３の主要な構成要素を示すブロック図である。通信デバイス３は、マシンタイプ通信デバイスとして構成された、ＭＴＣデバイス又は移動（又は「セルラ」）電話機であってよい。通信デバイス３は、少なくとも１つのアンテナ３３を介して基地局５に対して信号を送受信するように動作可能なトランシーバ回路３１を備える。通常、通信デバイス３は、ユーザが通信デバイス３と対話することを可能にするユーザインターフェース３５も備えるが、このユーザインターフェース３５は、幾つかのＭＴＣデバイスについては省略されてもよい。
【００３５】
トランシーバ回路３１の動作は、メモリ３９に記憶されたソフトウェアに従ってコントローラ３７によって制御される。このソフトウェアは、とりわけ、オペレーティングシステム４１、通信制御モジュール４２、及びＭＴＣモジュール４５を含む。
【００３６】
通信制御モジュール４２は、通信デバイス３と基地局５及び／又は（基地局５を介した）他の複数の通信ノードとの間の通信を制御する。図２に示されるように、通信制御モジュール４２は、とりわけ、狭帯域通信制御部４３と周波数ホッピング／ミラーリング部４４とを含む。
【００３７】
ＭＴＣモジュール４５は、複数のマシンタイプ通信タスクを実行するように動作可能である。例えば、ＭＴＣモジュール４５は、基地局５によってＭＴＣデバイス３に割当てられた複数のリソースを通じてリモートサーバから（トランシーバ回路３１を介して）データを（例えば、周期的に）受信してよい。ＭＴＣモジュール４５は、（トランシーバ回路３１を介して）リモートサーバに（例えば、周期的に及び／又はトリガの検出時に）送信するデータを収集してもよい。
【００３８】
＜基地局＞
図３は、図１に示す基地局５の主要な構成要素を示すブロック図である。基地局５は、１つ以上のアンテナ５３を介して通信デバイス３に対して信号を送受信するように動作可能なトランシーバ回路５１を備えるＥ−ＵＴＲＡＮ基地局（ｅＮＢ）から成る。基地局５は、適切なコアネットワークインターフェース５５（Ｓ１インターフェース等）を介してコアネットワーク７に対して信号を送受信するようにも動作可能である。トランシーバ回路５１の動作は、メモリ５９に記憶されたソフトウェアに従ってコントローラ５７によって制御される。
【００３９】
このソフトウェアは、とりわけ、オペレーティングシステム６１、通信制御モジュール６２、及びＵＥカテゴリ決定モジュール６５を含む。
【００４０】
通信制御モジュール６２は、複数の通信デバイス３（任意のＭＴＣデバイスを含む）との通信を制御する。通信制御モジュール６２は、この基地局５によってサービングされる複数の通信デバイス３によって用いられる複数のリソースをスケジューリングすることも担当する。図３に示されるように、通信制御モジュール６２は、とりわけ、狭帯域通信制御部６３と周波数ホッピング／ミラーリング制御部６４とを含む。
【００４１】
上記の説明において、通信デバイス３及び基地局５は、理解するのを容易にするために、幾つかの別個のモジュールを有するものとして説明した。これらのモジュールは、或る特定の用途の場合、例えば、他の用途において、既存のシステムが本発明を実施するように変更された場合には、このようにして設けられてよいが、例えば、最初から本発明の特徴を念頭に置いて設計されたシステムでは、これらのモジュールはオペレーティングシステム又はコード全体の中に組み込まれてよく、これらのモジュールは別個のエンティティとして識別できなくてもよい。
【００４２】
以下では、複数のＭＴＣデバイスのための複数の狭帯域及び関連する周波数ホッピング／ミラーリング方式がＬＴＥシステムにおいて提供される場合における、種々の方法について説明する。
【００４３】
＜動作−システム帯域幅にわたる狭帯域の規定＞
基地局５を介してのネットワーク１への最初のアクセス中に、各通信デバイス３は、自らのトランシーバ３１を基地局５のセルと同期させるために、セル探索手順を始める（すなわち、シンボル及びフレームタイミング同期を実行する）必要がある。具体的には、セル探索手順は、そのシステム帯域幅の中央６ＰＲＢにおいて基地局５によって送信される、複数の同期信号（すなわち、ＰＳＳ及びＳＳＳ）及びブロードキャストシステム情報（すなわち、ＰＢＣＨ）を取得することを含む。したがって、Ｒｅｌ−１３の複数の低複雑度ＭＴＣ  ＵＥ（標準カバレッジ内及び拡張カバレッジモード内の両方）が、（中央６ＰＲＢがそのような複数のＭＴＣデバイスによってサポートされる１．４ＭＨｚ内にあるので）基地局５とのそのようなセル探索手順を実行することができる。
【００４４】
システム情報から、通信デバイス３は、基地局５のセル内で使用されるシステム帯域幅（リソースブロックの数）を決定することができる。以下は、システム帯域幅を、重なり合わない複数の狭帯域（連続した一組のＰＲＢから成る）に分割する方法、及びそのような複数の狭帯域に番号を付与する方法の説明である。
【００４５】
複数の狭帯域位置及び番号付与
図４は、基地局５によって運用されるセル内で複数の狭帯域（それらはＭＴＣデバイス３−２に適合する）を与えることができる例示的な方法を示す。
【００４６】
見てわかるように、この例において、各狭帯域は、６つのリソースブロックから成り、また、部分狭帯域（６未満のリソースブロックから成る）も存在する。さらに、システム帯域幅は、
【数７】
0006614424.tif 000008
から成り、各ＰＲＢは、範囲
【数８】
0006614424.tif 000009
内のそれぞれの関連するリソースブロックインデックスを有する。
【００４７】
上記で説明されたように、システム帯域幅内の狭帯域の総数は、次式で表される。
【数９】
0006614424.tif 000010
【００４８】
【数１０】
0006614424.tif 000011
である場合、６より少ないＰＲＢを含む１つの「部分」狭帯域が存在する。ここで、この部分狭帯域を配置するための２つの方式が導入される。
Ａ）部分狭帯域は、システム帯域幅の端に最も近い帯域である。
Ｂ）部分狭帯域は、システム帯域幅の中央（又はその付近）にある。
【００４９】
上記のように、複数の狭帯域に番号を付与する２つの例示的な方法がある。
１）複数の狭帯域がＰＲＢ番号の昇順に番号を付与される。
２）複数の狭帯域が、システム帯域幅の端からシステム帯域幅の中央まで移行しながら番号を付与される。
【００５０】
それゆえ、システム帯域幅内の複数の狭帯域の位置と、任意の残りの複数のＰＲＢ（すなわち、６未満のＰＲＢを含む部分狭帯域）の場所とを決定するために、４つの候補オプション（図４において、「オプション１Ａ」、「オプション１Ｂ」、「オプション２Ａ」及び「オプション２Ｂ」で示される）がある。
【００５１】
【表１】
0006614424.tif 000012
【００５２】
一例として１０ＭＨｚ（５０ＰＲＢ）システム帯域幅を使用するとき、ＮＢｗｈｏｌｅ＝８及びＮＢ＝９が与えられる。部分狭帯域が存在するときはいつでも、数ＮＢｗｈｏｌｅが割り当てられることがわかるだろう。周波数ホッピングのためにいかなる部分狭帯域も使用されないと仮定されるが、それは、他の複数のＵＥ（例えば、複数の非ＭＴＣ  ＵＥ又は周波数ホッピングを実行しない複数のＭＴＣ  ＵＥ）に対する動的割当てために使用されえる。
【００５３】
【数１１】
0006614424.tif 000013
を狭帯域ｋの第１のＰＲＢとする。ここで、
【数１２】
0006614424.tif 000014
である。システム帯域幅の各ＰＲＢを所与の狭帯域（又は部分狭帯域）にいかに割り当てることができるかの詳細は、上記の表１において与えられる。
【００５４】
複数の狭帯域のためのリソース割当シグナリング
ネットワーク事業者が複数のＭＴＣサービスのために別個のキャリアを割り当ててよいので、そのような別個のキャリア内の全ての利用可能なリソースが複数のＭＴＣ  ＵＥのために利用されることが望ましい。上記で論じられたように、システム帯域幅内のＰＲＢの数を６で割ることができない場合には、６未満のＰＲＢから成る幾つかの残りのリソース（すなわち、部分狭帯域）が存在する場合がある（狭帯域が６ＰＲＢから成ると規定されるものとする）。以下は、部分狭帯域の一部を形成する複数のリソースブロックをスケジューリングするためのいくつかの例示的な解決策の説明である。
【００５５】
解決策１
この解決策において、部分狭帯域の一部を形成する複数のリソースブロックをスケジューリングするために、タイプ２リソース割当（タイプ２ＲＡ）及びリソース指示値（ＲＩＶ）が使用される。
【００５６】
３ＧＰＰ  ＴＳ３６．２１３  Ｖ１２．６．０は、開始リソースブロック（「ＲＢｓｔａｒｔ」）、及び「ＬＣＲＢｓ」で表される実際に連続して割当てられる複数のリソースブロックに関する長さに対応する値として、タイプ２リソース割当のためのＲＩＶを規定する。（ダウンリンクのための）リソース指示値は以下の式を用いて規定される。
【数１３】
0006614424.tif 000015
【００５７】
解決策１において、タイプ２ＲＡの式は、ｌｏｇ２（ＮＢ＿ＲＢ（ＮＢ＿ＲＢ＋１）／２ビットであり、ここで、ＮＢ＿ＲＢ＝６である（狭帯域が６つのＰＲＢを有すると規定されるものとする）。この場合、それゆえ、最大リソース指示値（ＲＩＶ）は２０であり、それは、５ビットバイナリ表現を用いて、スケジューリングされたＭＴＣ  ＵＥ（例えば、ＭＴＣデバイス３−２）にシグナリングされえる。部分狭帯域内の複数のＰＲＢには、そのようなタイプ２リソース割当を利用するときに、最も低い利用可能なＰＲＢから開始してインデックスが付与さえることがわかる。
【００５８】
この場合、総シグナリングオーバヘッドは、狭帯域の数及び上記のタイプ２ＲＡから、以下のように計算されえる。
ｌｏｇ２（ＮＢ）＋ｌｏｇ２（ＮＢ＿ＲＢ（ＮＢ＿ＲＢ＋１）／２）ビット
【００５９】
解決策２
別の取り得る（部分狭帯域の一部を形成する複数のリソースブロックをスケジューリングするための）解決策は、割当てられた狭帯域インデックス及びタイプ２リソース割当の共同符号化を適用することである。そのような共同符号化は、解決策１に比べてシグナリングオーバヘッドを削減するので有利である。オーバヘッド削減は、全ての狭帯域の未使用のＲＩＶ値（２１〜３１）を使用することによって達成され、それゆえ、狭帯域インデックス及びリソース割当シグナリングを表すために必要とされるビット総数を削減する。
【００６０】
この場合、狭帯域インデックス及びリソース指示値（ＪＥＳＲＩＶ）の共同符号化は以下の式によって与えられる。
ＪＥＳＲＩＶ＝ＲＩＶ＋２１＊ｋ
ここで、ＲＩＶは古いタイプ２リソース割当によって与えられ、ｋは割当てられた狭帯域のインデックスである。
【００６１】
受信機において、そのような共同符号化された狭帯域インデックス及びリソース指示値から狭帯域インデックス及びＲＩＶ値を得るために、以下のようにデコーダが実現されえる。
【数１４】
0006614424.tif 000016
【００６２】
解決策２のためのオーバヘッドは以下のように計算されえる。
【数１５】
0006614424.tif 000017
【００６３】
表２は、ＬＴＥにおいて使用される通常の複数のシステム帯域幅の場合の解決策１及び解決策２のための複数のオーバヘッド値の比較を含む。
【００６４】
【表２】
0006614424.tif 000018
【００６５】
解決策３
図５は、図１に示されるシステムにおいて複数の部分狭帯域のための複数のリソース割当を符号化し、シグナリングするために使用されてよい例示的な符号木を概略的に示す。
【００６６】
この場合に、三角形の符号木が使用され、特定の狭帯域内で利用可能なＰＲＢの数は符号木の根元における葉ノードの数に等しい。図示されるように、符号木は、狭帯域内のＰＲＢの数に対応するＮ個のノードの深さを有し、符号木の根元の行内にＮ個の葉ノードを有する、複数のノードの木から形成される。この例において、狭帯域あたり６つのＰＲＢが存在し、それゆえ、その木は６の深さを有し、符号木の根元において６つの葉ノード（ノード「０」〜「５」）が存在する。木内のノードの総数はＮ（Ｎ＋１）／２に等しい。それゆえ、この符号木からのノード番号を、ｃｅｉｌ（ｌｏｇ２（Ｎ＊（Ｎ＋１）／２））ビット数を用いてシグナリングされえる。
【００６７】
解決策３は、ＲＩＶ及び狭帯域インデックスｋが別々にシグナリングされるという点で、解決策１に類似している。しかしながら、この場合、
【数１６】
0006614424.tif 000019
と仮定され、すなわち、部分狭帯域の狭帯域インデックスをＵＥにシグナリングすることはできない。
【数１７】
0006614424.tif 000020
の値に応じて、解決策３は、解決策１に比べて、ｋをシグナリングするために必要とされるビット数を削減することができるので有益である。
【００６８】
部分狭帯域内のリソース割当をシグナリングするために、ＲＩＶのシグナリング内に何らかの冗長性があるという事実が利用される。具体的には、６つのＰＲＢ内の任意の連続したリソース割当をシグナリングするために、
【数１８】
0006614424.tif 000021
の範囲で十分である（図５に示される）。実際には、
【数１９】
0006614424.tif 000022
の範囲内の任意のリソース割当をカバーするために５ビットを用いてＲＩＶをシグナリングすることができる。しかしながら、それは、符号
【数２０】
0006614424.tif 000023
（５ビットがシグナリングされるとき）が、６ＲＢ狭帯域内の任意のリソース割当をシグナリングするために使用されないことを意味する。符号
【数２１】
0006614424.tif 000024
をｋとともに用いて、部分狭帯域内のリソース割当をシグナリングすることができるので有益である。例えば、ＭＴＣデバイス３−２が
【数２２】
0006614424.tif 000025
を受信する場合には、（自らの狭帯域モジュール４３を用いて、）ＲＩＶ’＝ＲＩＶ−２１＋１１ｋを計算することができ、これを、部分狭帯域内のリソース割当と解釈することができる。
【００６９】
部分狭帯域が含むのは多くても５つのＰＲＢであるので、部分狭帯域内の取り得る連続したリソース割当の数は多くても１５である。ｋが１ビットのみからなる場合であっても、上記に規定されたようなＲＩＶ’の範囲は「０」〜「２１」である。それゆえ、この方式を使用するとき、部分狭帯域内の任意の連続したリソース割当をシグナリングすることができる。
【００７０】
解決策３による方式は表３に要約される。
【００７１】
【表３】
0006614424.tif 000026
【００７２】
解決策３のために必要とされるシグナリングビットの数は、
【数２３】
0006614424.tif 000027
である。
【００７３】
＜動作−複数のＭＴＣデバイスのための周波数ホッピング／ミラーリング＞
図６及び図７は、複数の狭帯域を用いて通信するときに、ＭＴＣデバイス３−２のための周波数ホッピング／ミラーリングを実現することができる例示的な方法を示す。
【００７４】
複数の狭帯域規定及び番号付与、及び任意の部分狭帯域（すなわち、残りのＰＲＢ）の場所に関する幾つかのオプション（例えば、上記のオプションＡ／Ｂ及び１／２の任意の組み合わせ）があるので、ＬＴＥ  Ｒｅｌ−１３の複数のＭＴＣデバイスに適合させることができる汎用の周波数ホッピング方式が規定される。このホッピング方式は、後方互換性を改善するために、古い（Ｒｅｌ−８）の複数のホッピングパターンを再利用するので有益である。
【００７５】
具体的には、Ｒｅｌ−８の複数の周波数ホッピング方式が、複数のＭＴＣ伝送のための所定のホッピングパターンとともに再利用される。ホッピングパターンはセル特有であるので、同じセル内でホッピングする複数のＵＥ（例えば、基地局５のセル内の複数の通信デバイス３）の中で衝突は生じないので有利である。
【００７６】
古い（Ｒｅｌ−８）のホッピング方式は、以下のように規定される。
【数２４】
0006614424.tif 000028
ここで、ｎＶＲＢは、スケジューリンググラントから取得されるリソースブロックのインデックスであり、
【数２５】
0006614424.tif 000029
は物理アップリンク共有チャネル（ＰＵＳＣＨ）のためのホッピングオフセットであり、
【数２６】
0006614424.tif 000030
は、周波数ホッピングが有効にされるアクティブな狭帯域の数であり（その値はより上位の層によって与えられる）、ｎｓはサブフレーム内のスロット番号である。
【００７７】
しかしながらＭＴＣ伝送（狭帯域を経由する）に上記のホッピング方式を適合させるために、以下の変更が行われる。
【００７８】
ｋを狭帯域インデックスとする。
【数２７】
0006614424.tif 000031
複数の狭帯域
【数２８】
0006614424.tif 000032
においてのみホッピング／ミラーリングが適用されると仮定される。ここで、ｋｆｉｒｓｔ及びＮｓｂは、
【数２９】
0006614424.tif 000033
及び
【数３０】
0006614424.tif 000034
となるように、より上位の層によってあらかじめ規定されるか、又は設定される。実効的には、ｋｆｉｒｓｔは、周波数ホッピングが適用されるべきである第１の狭帯域のインデックスを示し、Ｎｓｂは、周波数ホッピングが適用されるべきである、連続して番号を付与された（ｋｆｉｒｓｔから開始する）狭帯域の数を示す。ｋｆｉｒｓｔ及びＮｓｂの目的は、システム帯域幅の端にある複数の狭帯域をホッピング／ミラーリングから除外できるようにすることである。部分狭帯域が存在する場合には、インデックスｋ＝ＮＢｗｈｏｌｅを割り当てられ、それゆえ、（条件
【数３１】
0006614424.tif 000035
のために）ホッピング／ミラーリングから常に除外されることがわかるだろう。
【００７９】
【数３２】
0006614424.tif 000036
がリソース割当てにおいてシグナリングされる狭帯域内のリソースブロックを表すものとし、
【数３３】
0006614424.tif 000037
が
【数３４】
0006614424.tif 000038
を含む狭帯域の狭帯域インデックスであるとする。
【００８０】
ｋＶＲＢが、ホッピング／ミラーリングが適用されない狭帯域（ｋＶＲＢ＜ｋｆｉｒｓｔ又は
【数３５】
0006614424.tif 000039
）である場合には、
周波数ホッピング後のリソースブロック割当、すなわち、ｎＰＲＢ（ｎｓ）は以下の式に従って設定される。
【数３６】
0006614424.tif 000040
ここで、
【数３７】
0006614424.tif 000041
は、上記の表１に従って規定される。
【００８１】
ｋＶＲＢが、ホッピング／ミラーリングが適用される狭帯域（すなわち、
【数３８】
0006614424.tif 000042
）である場合には、ｎＰＲＢ（ｎｓ）は以下のように決定される。
周波数ホッピング方式
【数３９】
0006614424.tif 000043
ここで、ｆｈｏｐ（ｉ）は、ホッピングされるべき狭帯域の数を規定する擬似ランダム整数を（サブフレーム番号（ＳＦＮ）に応じて）与えるホッピングパターンであり、
【数４０】
0006614424.tif 000044
は、ホッピング前のリソースブロックのインデックスであり、ｎＰＲＢ（ｎｓ）は、
【数４１】
0006614424.tif 000045
に周波数ホッピングを適用した後に割当てられたリソースブロックの、狭帯域に対するインデックスである。
【００８２】
ホッピングパターンｆｈｏｐ（ｉ）はＲｅｌ−８と同様に規定することができ、それは後方互換性を確実にするので有利である。
【００８３】
要するに、その概念は、最初に、複数の狭帯域
【数４２】
0006614424.tif 000046
内の複数のＰＲＢを
【数４３】
0006614424.tif 000047
によってインデックスを付与される連続した範囲の複数のＰＲＢにマッピングすることである。ここで、
【数４４】
0006614424.tif 000048
である。その後、
【数４５】
0006614424.tif 000049
を取得するために、この連続した範囲において古い周波数ホッピング方式が適用される。最後に、
【数４６】
0006614424.tif 000050
が、ｎＰＲＢ（ｎｓ）を取得するために、複数の元の狭帯域に戻すようにマッピングされる。
【００８４】
この周波数ホッピング方式は、Ｒｅｌ−８の古い周波数ホッピング方式に以下の変更を加えたものと実質的に同等であるので有利であることがわかるだろう。
−ホッピングレートは無線フレームあたり１回であり、１周期は１０無線フレームである。各無線フレームの最後のサブフレームは、再同調のために使用されえる。
−ホッピング狭帯域サイズは６つのＰＲＢに固定される。
−ｆｍ（ｉ）は０に設定される（６ＲＢ狭帯域内でミラーリングを適用することによって得られることになる周波数ダイバーシティ利得がほとんどないため）。
【００８５】
ミラーリング方式
ミラーリングが使用される（すなわち、ｆｍ（ｉ）が０に設定されない）場合には、周波数ホッピングのために上記で説明された同じ基本概念に基づいて、ＭＴＣデバイス適合周波数ミラーリング方式を規定することができる。具体的には、狭帯域ミラーリングは、最初に、複数の狭帯域を連続した範囲にマッピングし、（周波数ホッピングの代わりに）、以下のように、６つのＰＲＢの複数のブロックのこの連続した範囲内で周波数ミラーリングを適用することによって達成される。
【数４７】
0006614424.tif 000051
ここで、ｉ、Ｎｓｂ、
【数４８】
0006614424.tif 000052
及びｎＰＲＢ（ｎｓ）は、上記の周波数ホッピングの事例の場合と同じように規定される。
【００８６】
図７は、ｋｆｉｒｓｔ＝２及びＮｓｂ＝４の値の場合の上記の方式による例示的な周波数ホッピング／周波数ミラーリングを示す。さらに、図７は、（ｋｆｉｒｓｔ＝２及びＮｓｂ＝４を使用する）異なる狭帯域番号付与オプションの場合の例示的な周波数ミラーリング方式を示す。
【００８７】
セル間干渉も考慮されるとき、干渉ランダム化関数ｆｈｏｐ（ｉ）の存在に起因して、周波数ホッピングは、周波数ミラーリングだけより良好な性能を有する可能性が高いことがわかるだろう。しかしながら、上記の周波数ミラーリング方式は、関連する周波数ホッピングパターンを用いて、又は用いることなく使用されてもよいことがわかるだろう。
【００８８】
＜変更及び代替＞
詳細な実施形態を上記で説明した。当業者であれば、上記において具現化された本発明から引き続き利益を得ながら、上記の実施形態に対して複数の変更及び代替を行うことができることがわかるだろう。
【００８９】
ＰＳＳ／ＳＳＳ／ＰＢＣＨが任意の狭帯域から独立していることが３ＧＰＰによって合意された。したがって、各通信デバイス３は、複数の狭帯域がいかに規定されるかにかかわらず、セルのＰＳＳ／ＳＳＳ／ＰＢＣＨを取得するために、そのセルの中央の７２サブキャリア（すなわち、中央の６つのＰＲＢ）を（自らのトランシーバ３１を同調させることによって）監視する必要がある。しかしながら、ＰＳＳ／ＳＳＳ／ＰＢＣＨは任意の狭帯域構造から独立しているので、ＰＳＳ／ＳＳＳ／ＰＢＣＨは２つの狭帯域にわたって広がってよい。この場合、送信の衝突を回避するために、基地局５は、影響を受ける複数のリソースブロック内（すなわち、ＰＳＳ／ＳＳＳ／ＰＢＣＨを搬送する中央の６つのＰＲＢと重なり合う任意の狭帯域内）の任意の他の送信より、ＰＳＳ／ＳＳＳ／ＰＢＣＨの送信を優先させてよいことがわかるだろう。
【００９０】
複数の狭帯域位置及び番号付与の上記の説明はダウンリンクの場合に基づくが、例えば、
【数４９】
0006614424.tif 000053
を
【数５０】
0006614424.tif 000054
に置き換えることによって、アップリンクの場合にも適用可能であることがわかるだろう。（ここで、
【数５１】
0006614424.tif 000055
はシステム帯域幅内のアップリンクの複数のリソースブロックの総数である）。
【００９１】
システム帯域幅の一部を参照するときに「狭帯域」という用語を用いて上記の実施形態を説明してきたが、「サブバンド」という用語を使用してもよいことがわかるだろう。したがって、狭帯域及びサブバンドという用語は、同じ意味を有し、互換的に使用されえる。
【００９２】
Ｅ−ＵＴＲＡＮ基地局（ｅＮＢ）として動作する基地局に関して通信システムを説明したが、同じ原理は、マクロ基地局若しくはピコ基地局として動作する基地局、フェムト基地局、基地局機能の要素を提供する中継ノード、ホーム基地局（ＨｅＮＢ）、又は他のそのような通信ノードにも適用されてもよいことがわかるだろう。
【００９３】
上記の実施形態では、ＬＴＥ遠距離通信システムを説明した。当業者であれば、本出願において説明される技法は、従前の３ＧＰＰタイプのシステムを含む、他の通信システムにおいて用いられえることがわかるだろう。他の通信ノード又はデバイスには、例えば、携帯情報端末、ラップトップコンピュータ、ウェブブラウザ等のようなユーザデバイスを含んでよい。
【００９４】
上記の実施形態では、基地局及び通信デバイスは、それぞれトランシーバ回路部を備える。通常、この回路部は専用ハードウェア回路によって形成される。しかしながら、幾つかの実施形態では、トランシーバ回路部の一部を、対応するコントローラによって実行されるソフトウェアとして実装されてよい。
【００９５】
上記の実施形態では、複数のソフトウェアモジュールを説明した。当業者であれば、それらのソフトウェアモジュールは、コンパイル済みの形式又は未コンパイルの形式において与えることができ、コンピュータネットワークを介して信号として、又は記録媒体において基地局又はユーザデバイスに供給されてよいことがわかるだろう。さらに、このソフトウェアの一部又は全部によって実行される機能は、１つ以上の専用のハードウェア回路を用いて実行されてよい。
【００９６】
上記の実施形態では、複数のマシンタイプ通信デバイス及び複数の移動電話機を説明した。しかしながら、複数の移動電話機（及び同様のユーザ機器）は、複数のマシンタイプ通信デバイスとして動作するように構成されてよいことがわかるだろう。例えば、移動電話機３−１は、ＭＴＣモジュール４５を備え（及び／又はこのモジュールの機能を提供する）てよい。
【００９７】
複数のＭＴＣ用途の例
各通信デバイスは、１つ以上のＭＴＣの用途をサポートしてよいことがわかるだろう。複数のＭＴＣの用途の幾つかの例が、以下の表にリストされている（出典：３ＧＰＰ  ＴＳ２２．３６８  Ｖ１３．１．０、付録Ｂ）。このリストは、網羅的なものではなく、マシンタイプ通信の複数の用途の範囲を示すことを意図したものである。
【００９８】
【表４】
0006614424.tif 000056
【００９９】
複数の重なり合わない帯域部分は、複数の等しいサイズの帯域部分を含んでもよい。この場合、複数の重なり合わない帯域部分は、そのインデックスが数値であってもよい複数の等しいサイズの帯域部分から成ってもよく、インデックスは、それらのインデックスが表す帯域部分の周波数帯域幅によってカバーされる周波数範囲とともに順次に増加するように配置されてよい。代替的に、複数の重なり合わない帯域部分は、そのインデックスが数値であってもよい複数の等しいサイズの帯域部分から成ってもよく、インデックスは、最も低いインデックスがセル帯域幅の上側周波数端及び下側周波数端にある複数の帯域部分を表し、インデックスがセル帯域幅の中央に向かって増加するように配置されてよい。
【０１００】
上記複数の帯域部分の数は、以下の式を用いて規定されてよく、
【数５２】
0006614424.tif 000057
ここで、ＮＢは、上記帯域部分の総数であり（それぞれ等しいサイズの帯域部分が一組の「ｎ」個のリソースブロックから成り）、ＮＲＢは、セル帯域幅内のリソースブロックの総数であり、
【数５３】
0006614424.tif 000058
は、天井関数（ceiling function）である（すなわち、「ｘ」以上である最小の整数）。
【０１０１】
上記等しいサイズの帯域部分の数は次の式を用いて規定されてよく、
【数５４】
0006614424.tif 000059
ここで、ＮＢｗｈｏｌｅは、それぞれが一組の「ｎ」個のリソースブロックから成る、上記等しいサイズの帯域部分の数であり、
【数５５】
0006614424.tif 000060
は、床関数（flooring function）である（すなわち、「ｘ」以下である最大の整数）。
【０１０２】
取得したインデックスは、上記等しいサイズの帯域部分のうちの１つの帯域部分のインデックスであってよく、この場合、コントローラは、上記取得したインデックスと、割当を識別するための上記情報とを共同符号化し、共同符号化した制御データを形成することによって、少なくとも１つのリソースブロックの上記割当の位置を一意に識別するための上記制御データを生成するように動作可能であってよい。
【０１０３】
共同符号化した制御データは、以下の式を用いて導出されてよく、
ＪＥＳＲＩＶ＝ＲＩＶ＋２１＊ｋ
ここで、ＪＥＳＲＩＶは共同符号化した制御データであり、ｋは取得したインデックスであり、ＲＩＶは、割当を識別するための情報であり、帯域部分ｋ内の少なくとも１つのリソースブロックの割当を表す固有値から成る。
【０１０４】
通信デバイスのコントローラは、共同符号化した制御データから、以下の式を用いて少なくとも１つのリソースブロックの割当を識別するための情報を取得するように動作可能であってよい。
【数５６】
0006614424.tif 000061
ここで、ＪＥＳＲＩＶは共同符号化した制御データであり、ｋは上記通信デバイスによって使用するための帯域部分のインデックスであり、ＲＩＶは、割当を識別するための情報であり、帯域部分ｋ内の少なくとも１つのリソースブロックの割当を表す固有値から成る。
【０１０５】
複数の帯域部分は、上記等しいサイズの帯域部分のそれぞれより少ないリソースブロックを有する少なくとも１つ更なる帯域部分から成ってよい。少なくとも１つの更なる帯域部分には、上記等しいサイズの帯域部分の上記それぞれより高い数値インデックスが割り当てられてよい。少なくとも１つの更なる帯域部分は、上記セル帯域幅の外端に、又は上記セル帯域幅の中央部分に／その付近に位置してよい。
【０１０６】
コントローラは、第１の値（ｋ）及び第２の値（ＲＩＶ）から成る、少なくとも１つの更なる帯域部分内の少なくとも１つのリソースブロックの割当を一意に識別するための制御データを生成する（又は、上記制御データから情報を取得する）ように動作可能であってよく、上記第１の値及び上記第２の値は、少なくとも１つの更なる帯域部分内の少なくとも１つのリソースブロックの上記割当の、連続して割当てられた複数のリソースブロックにおける、開始リソースブロック（ＲＢｓｔａｒｔ）と長さ（ＬＣＲＢｓ）とを表すリソース指示値（ＲＩＶ’）に所定の数学的関係を通して関連付けられる。
【０１０７】
上記第１の値（ｋ）、上記第２の値（ＲＩＶ）、および上記リソース指示値（ＲＩＶ’）の間の所定の数学的関係は、以下の式を用いて規定されてよい。
ＲＩＶ’＝ＲＩＶ−２１＋１１ｋ
【０１０８】
コントローラは、少なくとも１つの通信デバイスと通信するために使用される帯域部分が少なくとも１つの周波数ホップを受けて変化するが、上記通信のために使用される帯域部分内の少なくとも１つのリソースブロックの割当は変化しないホッピングパターンに従って、複数のリソースを割り当てる（又は割当てたリソースを決定する）ように構成されてよい。
【０１０９】
この場合、コントローラは以下の方式を用いて複数のリソースを割り当てる（又は割当てた複数のリソースを決定する）ように構成されてよく、
【数５７】
0006614424.tif 000062
ここで、ｎＰＲＢ（ｎｓ）は上記ホッピングパターンを適用した後に割当てたリソースであり、ｎｓはサブフレーム内のスロット番号であり、ｆｈｏｐ（ｉ）はホッピングパターンであり、ＳＦＮはサブフレーム番号であり、ｋｆｉｒｓｔはホッピングパターンが適用されている最も低い帯域部分インデックスであり、Ｎｓｂは、ホッピングパターンが適用されている、ｋｆｉｒｓｔから開始して連続して番号を付与された帯域部分の数であり、ｋＶＲＢはホッピングパターンが適用されている帯域部分のインデックスであり、
【数５８】
0006614424.tif 000063
は、セル帯域幅に対する、インデックスｋを有する帯域部分の第１のリソースブロックのインデックスであり、
【数５９】
0006614424.tif 000064
は、帯域部分に対する、割当てたリソースブロックのインデックスである。
【０１１０】
コントローラは、少なくとも幾つかの帯域部分においてミラーリングパターンに従って複数のリソースを割り当てる（又は割当てた複数のリソースを決定する）ように構成されてよく、少なくとも１つの通信デバイスと通信するために使用される帯域部分のインデックスは、少なくとも幾つかの帯域部分の数値インデックスを付与された高い方の半分のうちのインデックスと、少なくとも幾つかの帯域部分の数値インデックスを付与された低い方の半分のうちのインデックスとを交互にとる。
【０１１１】
この場合、コントローラは以下の方式を用いて複数のリソースを割り当てる（又は割当てた複数のリソースを決定する）ように構成されてよい。
【数６０】
0006614424.tif 000065
ここで、ｎＰＲＢ（ｎｓ）は上記ミラーリングパターンを適用した後に割当てたリソースであり、ｎｓはサブフレーム内のスロット番号であり、ＳＦＮはサブフレーム番号であり、ｋｆｉｒｓｔは上記ミラーリングパターンが適用されている最も低い帯域部分インデックスであり、Ｎｓｂは、上記ミラーリングパターンが適用されている、連続して番号を付与された帯域部分の数であり、ｋＶＲＢは上記ミラーリングパターンが適用されている帯域部分のインデックスであり、
【数６１】
0006614424.tif 000066
は、セル帯域幅に対する、インデックスｋを有する帯域部分の第１のリソースブロックのインデックスであり、
【数６２】
0006614424.tif 000067
は、帯域部分に対する、割当てたリソースブロックのインデックスである。
【０１１２】
通信装置は、ロングタームエボリューション（ＬＴＥ）無線アクセスネットワークの基地局から成ってよいを。通信デバイスは、セル帯域幅に比べて削減された帯域幅を用いて通信するように動作可能である、マシンタイプ通信（ＭＴＣ）デバイスから成ってよい。
【０１１３】
種々の他の変更は当業者には明らかであり、ここでは、これ以上詳しくは説明しない。
【０１１４】
上記の実施形態の一部又は全体は、以下の付記のようにも記載されうるが、以下には限られない。
【０１１５】
（付記１）
通信システムのための通信装置であって、
セル帯域幅を有するセルを運用するためのコントローラと、
上記セル内の複数の通信デバイスと通信するためのトランシーバと、
を備え、
コントローラは、
上記セル帯域幅を、各帯域部分が上記セル帯域幅より狭い周波数帯域幅を占有するそれぞれの組のリソースブロックから成り、各帯域部分がその帯域部分を識別するためのそれぞれのインデックスを有する、複数の重なり合わない帯域部分として扱い、
ｉ）上記複数の通信デバイスのうちの少なくとも１つの通信デバイスによって使用するための帯域部分のインデックスと、ｉｉ）上記少なくとも１つの通信デバイスによって使用するためのその帯域部分内の少なくとも１つのリソースブロックの割当を識別するための情報とを取得し、
上記取得したインデックスと割当を識別するための上記情報とから、上記セル帯域幅内で上記少なくとも１つのリソースブロックの上記割当の位置を一意に識別するための制御データを生成する、
ように動作可能であり、
上記トランシーバは、上記制御データを上記少なくとも１つの通信デバイスにシグナリングするように動作可能である、通信装置。
【０１１６】
（付記２）
上記複数の重なり合わない帯域部分は、複数の等しいサイズの帯域部分から成る、付記１に記載の通信装置。
【０１１７】
（付記３）
上記複数の重なりあわない帯域部分は、複数の等しいサイズの帯域部分から成り、上記複数の等しいサイズの帯域部分のインデックスは、数値であり、それらのインデックスが表す帯域部分の周波数帯域幅によってカバーされる周波数範囲とともに順次に増加するように配置される、付記２に記載の通信装置。
【０１１８】
（付記４）
上記複数の重なりあわない帯域部分は、複数の等しいサイズの帯域部分から成り、上記複数の等しいサイズの帯域部分のインデックスは、数値であり、もっとも低いインデックスがセル帯域幅の上側周波数端及び下側周波数端にある帯域部分を表し、上記インデックスがセル帯域幅の中央に向かって増加するように配置される、付記２に記載の通信装置。
【０１１９】
（付記５）
上記複数の帯域部分の数は、以下の式を用いて規定され、
【数６３】
0006614424.tif 000068
ここで、ＮＢは、上記帯域部分の総数であり（それぞれ等しいサイズの帯域部分が一組の「ｎ」個のリソースブロックから成る）、ＮＲＢは、前記セル帯域幅内のリソースブロックの総数であり、
【数６４】
0006614424.tif 000069
は、天井関数である（すなわち、「ｘ」以上である最小の整数）、付記２〜４のいずれか一項に記載の通信装置。
【０１２０】
（付記６）
上記等しいサイズの帯域部分の数は、次式を用いて規定され、
【数６５】
0006614424.tif 000070
ここで、ＮＢｗｈｏｌｅは、それぞれが一組の「ｎ」個のリソースブロックから成る、上記等しいサイズの帯域部分の数であり、
【数６６】
0006614424.tif 000071
は、床関数である（すなわち、「ｘ」以下である最大の整数）、付記５に記載の通信装置。
【０１２１】
（付記７）
上記取得したインデックスが、上記等しいサイズの帯域部分のうちの１つの帯域部分のインデックスであるとき、上記コントローラは、上記取得したインデックスと、割当を識別するための上記情報とを共同符号化し、共同符号化された制御データを形成することによって、上記少なくとも１つのリソースブロックの割当の位置を一意に識別するための上記制御データを生成するように構成される、付記２〜６のいずれか一項に記載の通信装置。
【０１２２】
（付記８）
上記共同符号化された制御データは、以下の式を用いて導出され、
ＪＥＳＲＩＶ＝ＲＩＶ＋２１＊ｋ
ただし、ＪＥＳＲＩＶは、上記共同符号化された制御データであり、ｋは、上記取得したインデックスであり、ＲＩＶは、割当を識別するための上記情報であり、帯域部分ｋ内の少なくとも１つのリソースブロックの割当を表す固有値から成る、付記７に記載の通信装置。
【０１２３】
（付記９）
上記複数の帯域部分は、上記等しいサイズの帯域部分のそれぞれより狭いリソースブロックを有する少なくとも１つの更なる帯域部分から成る、付記２〜８のいずれか一項に記載の通信装置。
【０１２４】
（付記１０）
上記少なくとも１つの更なる帯域部分には、前記等しいサイズの帯域部分の前記それぞれより高い数値インデックスが割り当てられる、付記９に記載の通信装置。
【０１２５】
（付記１１）
上記少なくとも１つの更なる帯域部分は、上記セル帯域幅の外端に、又は上記セル帯域幅の中央に／その付近に位置する、付記９又は１０に記載の通信装置。
【０１２６】
（付記１２）
通信システムのための通信装置であって、
セル帯域幅を有するセルを運用するためのコントローラと、
上記セル内の複数の通信デバイスと通信するためのトランシーバと、
を備え、
コントローラは、
上記セル帯域幅を、各帯域部分が上記セル帯域幅より狭い周波数帯域幅を占有するそれぞれの組のリソースブロックから成り、各帯域部分がその帯域部分を識別するためのそれぞれのインデックスを有する、複数の重なり合わない帯域部分として扱い、複数の重なり合わない帯域部分は、複数の等しいサイズの帯域部分と、上記等しいサイズの帯域部分のそれぞれより少ないリソースブロックを有する少なくとも１つの更なる帯域部分とを含み、
上記少なくとも１つの通信デバイスによって使用するための少なくとも１つの更なる帯域部分内の少なくとも１つのリソースブロックの割当を識別するための情報を取得し、
割当を識別するための上記取得した情報から、上記セル帯域幅内で上記少なくとも１つのリソースブロックの上記割当の位置を一意に識別するための制御データを生成する、
ように動作可能であり、
上記トランシーバは、上記制御データを上記少なくとも１つの通信デバイスにシグナリングするように動作可能である、通信装置。
【０１２７】
（付記１３）
上記コントローラは、第１の値（ｋ）及び第２の値（ＲＩＶ）から成る、少なくとも１つの更なる帯域部分内の少なくとも１つのリソースブロックの割当を一意に識別するための制御データを生成するように構成され、上記第１の値及び上記第２の値は、少なくとも１つの更なる帯域部分内の少なくとも１つのリソースブロックの上記割当の、連続して割当てられるリソースブロックにおける、開始リソースブロック（ＲＢｓｔａｒｔ）と長さ（ＬＣＲＢｓ）とを表すリソース指示値（ＲＩＶ’）に所定の数学的関係を通して関連付けられる、付記９〜１２のいずれか一項に記載の通信装置。
【０１２８】
（付記１４）
上記第１の値（ｋ）、上記第２の値（ＲＩＶ）、および上記リソース指示値（ＲＩＶ’）の間の前記所定の数学的関係は、以下の式を用いて規定される、
ＲＩＶ’＝ＲＩＶ−２１＋１１ｋ
付記１３に記載の通信装置。
【０１２９】
（付記１５）                                                                    
上記コントローラは、少なくとも１つの通信デバイスと通信するために使用される帯域部分が少なくとも１つの周波数ホップを受けて変化するが、上記通信のために使用される帯域部分内の少なくとも１つのリソースブロックの割当は変化しないホッピングパターンに従って、リソースを割り当てるように構成される、付記１〜１４のいずれか一項に記載の通信装置。
【０１３０】
（付記１６）
上記コントローラは、以下の方式を用いてリソースを割り当てるように構成され、
【数６７】
0006614424.tif 000072
ここで、ｎＰＲＢ（ｎｓ）は、上記ホッピングパターンを適用した後に割当てられたリソースであり、ｎｓは、サブフレーム内のスロット番号であり、ｆｈｏｐ（ｉ）は、ホッピングパターンであり、ＳＦＮは、サブフレーム番号であり、ｋｆｉｒｓｔは、ホッピングパターンが適用されている最も低い帯域部分インデックスであり、Ｎｓｂは、ホッピングパターンが適用されている、ｋｆｉｒｓｔから開始して連続して番号を付与された帯域部分の数であり、ｋＶＲＢは、ホッピングパターンが適用されている帯域部分のインデックスであり、
【数６８】
0006614424.tif 000073
は、前記セル帯域幅に対する、インデックスｋを有する帯域部分の第１のリソースブロックのインデックスであり、
【数６９】
0006614424.tif 000074
は、帯域部分に対する、割当てられたリソースブロックのインデックスである、付記１５に記載の通信装置。
【０１３１】
（付記１７）
上記コントローラは、少なくとも幾つかの帯域部分においてミラーリングパターンに従ってリソースを割り当てるように構成され、少なくとも１つの通信デバイスと通信するために使用される帯域部分のインデックスは、少なくとも幾つかの帯域部分の数値インデックスを付与された高い方の半分のうちのインデックスと、少なくとも幾つかの帯域部分の数値インデックスを付与された低い方の半分のうちのインデックスとを交互にとる、付記１〜１５のいずれか一項に記載の通信装置。
【０１３２】
（付記１８）
上記コントローラは以下の方式を用いてリソースを割り当てるように構成され、
【数７０】
0006614424.tif 000075
ここで、ｎＰＲＢ（ｎｓ）は、上記ミラーリングパターンを適用した後に割当てらたリソースであり、ｎｓは、サブフレーム内のスロット番号であり、ＳＦＮはサブフレーム番号であり、ｋｆｉｒｓｔは、上記ミラーリングパターンが適用されている最も低い帯域部分インデックスであり、Ｎｓｂは、上記ミラーリングパターンが適用されている、連続して番号を付与された帯域部分の数であり、ｋＶＲＢは、上記ミラーリングパターンが適用されている帯域部分のインデックスであり、
【数７１】
0006614424.tif 000076
は、セル帯域幅に対する、インデックスｋを有する帯域部分の第１のリソースブロックのインデックスであり、
【数７２】
0006614424.tif 000077
は、帯域部分に対する、割当てられたリソースブロックのインデックスである、付記１７に記載の通信装置。
【０１３３】
（付記１９）
ロングタームエボリューション（ＬＴＥ）無線アクセスネットワークの基地局から成る、付記１〜１７のいずれか一項に記載の通信装置。
【０１３４】
（付記２０）
通信装置によって運用され、関連するセル帯域幅を有するセル内で通信するための通信デバイスであって、上記セル帯域幅は、複数の重なり合わない帯域部分として扱われ、各帯域部分は上記セル帯域幅より狭い周波数帯域幅を占有するそれぞれの組のリソースブロックから成り、各帯域部分は、その帯域部分を識別するためのそれぞれのインデックスを有し、通信デバイスは、
上記通信装置から、上記セル帯域幅内で、少なくとも１つのリソースブロックの割当の位置を一意に識別するための制御データを受信するためのトランシーバと、
上記受信した制御データから、ｉ）当該通信デバイスによって使用するための帯域部分のインデックスと、当該通信デバイスによって使用するためのその帯域部分内の少なくとも１つのリソースブロックの割当を識別する情報とを取得するためのコントローラと、
を備え、
トランシーバは、少なくとも１つのリソースブロックの上記割当を用いて、上記通信装置を介してユーザデータを通信するように動作可能である、通信デバイス。
【０１３５】
（付記２１）
上記制御データは、上記インデックスと、少なくとも１つのリソースブロックの割当を識別するための上記情報とを共同符号化することによって形成された、共同符号化された制御データから成る、付記２０に記載の通信デバイス。
【０１３６】
（付記２２）
上記コントローラは、共同符号化された制御データから、以下の式を用いて、少なくとも１つのリソースブロックの割当を識別するための上記情報を取得するように動作可能であり、
【数７３】
0006614424.tif 000078
ここで、ＪＥＳＲＩＶは共同符号化された制御データであり、ｋは上記通信デバイスによって使用するための帯域部分のインデックスであり、ＲＩＶは、割当を識別するための情報であり、帯域部分ｋ内の少なくとも１つのリソースブロックの割当を表す固有値から成る、付記２０に記載の通信デバイス。
【０１３７】
（付記２３）
上記複数の帯域部分は、上記等しいサイズの帯域部分のそれぞれより少ないリソースブロックを有する少なくとも１つの更なる帯域部分から成る、付記２０〜２２のいずれか一項に記載の通信デバイス。
【０１３８】
（付記２４）
通信装置によって運用され、関連するセル帯域幅を有するセル内で通信するための通信デバイスであって、上記セル帯域幅は、複数の重なり合わない帯域部分として扱われ、各帯域部分は上記セル帯域幅より狭い周波数帯域幅を占有するそれぞれの組のリソースブロックから成り、各帯域部分は、その帯域部分を識別するためのそれぞれのインデックスを有し、複数の重なり合わない帯域部分は複数の等しいサイズの帯域部分と、これらの等しいサイズの帯域部分のそれぞれより少ないリソースブロックを有する少なくとも１つの更なる帯域部分とから成り、通信デバイスは、
上記通信装置から、上記セル帯域幅内で少なくとも１つのリソースブロックの割当の位置を一意に識別するための制御データを受信するためのトランシーバと、
上記受信した制御データから、当該少なくとも１つの通信デバイスによって使用するための少なくとも１つの更なる帯域部分内の少なくとも１つのリソースブロックの上記割当を識別するための情報を取得するためのコントローラと、
を備え、
トランシーバは、少なくとも１つのリソースブロックの上記割当を用いて、上記通信装置を介してユーザデータを通信するように動作可能である、通信デバイス。
【０１３９】
（付記２５）
上記コントローラは、上記受信した制御データから、第１の値（ｋ）及び第２の値（ＲＩＶ）から成る、少なくとも１つの更なる帯域部分内の少なくとも１つのリソースブロックの割当を一意に識別するための制御データを取得するように動作可能であり、上記第１の値及び上記第２の値は、少なくとも１つの更なる帯域部分内の少なくとも１つのリソースブロックの上記割当の、連続して割当てられるリソースブロックにおける、開始リソースブロック（ＲＢｓｔａｒｔ）と、長さ（ＬＣＲＢｓ）とを表すリソース指示値（ＲＩＶ’）に所定の数学的関係を通して関連付けられる、付記２３又は２４に記載の通信デバイス。
【０１４０】
（付記２６）
上記第１の値（ｋ）、上記第２の値（ＲＩＶ）、および上記リソース指示値（ＲＩＶ’）の間の上記所定の数学的関係は、以下として規定される、
ＲＩＶ’＝ＲＩＶ−２１＋１１ｋ
付記２５に記載の通信デバイス。
【０１４１】
（付記２７）
上記コントローラは、少なくとも１つの通信デバイスと通信するために使用される帯域部分が少なくとも１つの周波数ホップを受けて変化するが、上記通信のために使用される帯域部分内の少なくとも１つのリソースブロックの割当は変化しないホッピングパターンに従って、割当てたリソースを決定するように構成される、付記２０〜２６のいずれか一項に記載の通信デバイス。
【０１４２】
（付記２８）
上記コントローラは、以下の方式を用いて割当てたリソースを決定するように構成され、
【数７４】
0006614424.tif 000079
ここで、ｎＰＲＢ（ｎｓ）は、上記ホッピングパターンを適用した後に割当てられたリソースであり、ｎｓは、サブフレーム内のスロット番号であり、ｆｈｏｐ（ｉ）は、ホッピングパターンであり、ＳＦＮは、サブフレーム番号であり、ｋｆｉｒｓｔは、ホッピングパターンが適用されている最も低い帯域部分インデックスであり、Ｎｓｂは、ホッピングパターンが適用されている、ｋｆｉｒｓｔから開始して連続して番号を付与された帯域部分の数であり、ｋＶＲＢは、ホッピングパターンが適用されている帯域部分のインデックスであり、
【数７５】
0006614424.tif 000080
は、前記セル帯域幅に対する、インデックスｋを有する帯域部分の第１のリソースブロックのインデックスであり、
【数７６】
0006614424.tif 000081
は、帯域部分に対する、割当てられたリソースブロックのインデックスである、付記２７に記載の通信デバイス。
【０１４３】
（付記２９）
上記コントローラは、少なくとも幾つかの帯域部分においてミラーリングパターンに従って割当てたリソースを決定するように構成され、通信装置を介して通信するために使用される帯域部分のインデックスは、少なくとも幾つかの帯域部分の数値インデックスを付与された高い方の半分のうちのインデックスと、少なくとも幾つかの帯域部分の数値インデックスを付与された低い方の半分のうちのインデックスとを交互にとる、付記２０〜２８のいずれか一項に記載の通信デバイス。
【０１４４】
（付記３０）
上記コントローラは以下の方式を用いて割当てたリソースを決定するように構成され、
【数７７】
0006614424.tif 000082
ここで、ｎＰＲＢ（ｎｓ）は、上記ミラーリングパターンを適用した後に割当てたリソースであり、ｎｓは、サブフレーム内のスロット番号であり、ＳＦＮはサブフレーム番号であり、ｋｆｉｒｓｔは、上記ミラーリングパターンが適用されている最も低い帯域部分インデックスであり、Ｎｓｂは、上記ミラーリングパターンが適用されている、連続して番号を付与された帯域部分の数であり、ｋＶＲＢは、上記ミラーリングパターンが適用されている帯域部分のインデックスであり、
【数７８】
0006614424.tif 000083
は、セル帯域幅に対する、インデックスｋを有する帯域部分の第１のリソースブロックのインデックスであり、
【数７９】
0006614424.tif 000084
は、帯域部分に対する、割当てられたリソースブロックのインデックスである、付記２９に記載の通信デバイス。
【０１４５】
（付記３１）
セル帯域幅に比べて削減された帯域幅を用いて通信するように動作可能であるマシンタイプ通信「ＭＴＣ」デバイスから成る、付記２０〜３０のいずれか１つに記載の通信デバイス。
【０１４６】
（付記３２）
付記１〜１９のいずれか１つに記載の通信装置と、付記２０〜３１のいずれか１つに記載の通信デバイスとを備えるシステム。
【０１４７】
（付記３３）
セル帯域幅を有するセルを運用する通信装置によって実行される方法であって、上記セル帯域幅は、複数の重なり合わない帯域部分として扱われ、各帯域部分は、上記セル帯域幅より狭い周波数帯域幅を占有するそれぞれの組のリソースブロックから成り、各帯域部分はその帯域部分を識別するためのそれぞれインデックスを有し、その方法は、
ｉ）上記複数の通信デバイスのうちの少なくとも１つの通信デバイスによって使用するための帯域部分のインデックスと、ｉｉ）上記少なくとも１つの通信デバイスによって使用するためのその帯域部分内の少なくとも１つのリソースブロックの割当を識別するための情報とを取得し、
上記取得したインデックスと割当を識別するための上記情報とから、上記セル帯域幅内で上記少なくとも１つのリソースブロックの上記割当の位置を一意に識別するための制御データを生成し、
上記制御データを上記少なくとも１つの通信デバイスにシグナリングする、
方法。
【０１４８】
（付記３４）
セル帯域幅を有するセルを運用する通信装置によって実行される方法であって、上記セル帯域幅は複数の重なり合わない帯域部分として扱われ、各帯域部分は、上記セル帯域幅より狭い周波数帯域幅を占有するそれぞれの組のリソースブロックから成り、各帯域部分は、その帯域部分を識別するためのそれぞれインデックスを有し、複数の重なり合わない帯域部分は、複数の等しいサイズの帯域部分と、これらの等しいサイズの帯域部分のそれぞれより少ないリソースブロックを有する少なくとも１つの更なる帯域部分とから成り、その方法は、
上記少なくとも１つの通信デバイスによって使用するための少なくとも１つの更なる帯域部分内の少なくとも１つのリソースブロックの割当を識別するための情報を取得し、
上記取得した情報から、上記セル帯域幅内で上記少なくとも１つのリソースブロックの上記割当の位置を一意に識別するための制御データを生成し、
上記制御データを上記少なくとも１つの通信デバイスにシグナリングする、
方法。
【０１４９】
（付記３５）
通信装置によって運用され、関連するセル帯域幅を有するセル内で通信するための通信デバイスによって実行される方法であって、上記セル帯域幅は複数の重なり合わない帯域部分として扱われ、各帯域部分は、上記セル帯域幅より狭い周波数帯域幅を占有するそれぞれの組のリソースブロックから成り、各帯域部分はその帯域部分を識別するためのそれぞれインデックスを有し、その方法は、
上記通信装置から、上記セル帯域幅内で少なくとも１つのリソースブロックの割当の位置を一意に識別するための制御データを受信し、
上記受信した制御データから、ｉ）上記通信デバイスによって使用するための帯域部分のインデックスと、ｉｉ）上記通信デバイスによって使用するためのその帯域部分内の少なくとも１つのリソースブロックの割当を識別するための情報とを取得し、
少なくとも１つのリソースブロックの上記割当を用いて、上記通信装置を介してユーザデータを通信する、
方法。
【０１５０】
（付記３６）
通信装置によって運用され、関連するセル帯域幅を有するセル内で通信するための通信デバイスによって実行される方法であって、上記セル帯域幅は複数の重なり合わない帯域部分として扱われ、各帯域部分は、上記セル帯域幅より狭い周波数帯域幅を占有するそれぞれの組のリソースブロックから成り、各帯域部分は、その帯域部分を識別するためのそれぞれインデックスを有し、複数の重なり合わない帯域部分は、複数の等しいサイズの帯域部分と、上記等しいサイズの帯域部分のそれぞれより少ないリソースブロックを有する少なくとも１つの更なる帯域部分とから成り、その方法は、
上記通信装置から、上記セル帯域幅内で少なくとも１つのリソースブロックの割当の位置を一意に識別するための制御データを受信し、
上記受信した制御データから、上記少なくとも１つの通信デバイスによって使用するための少なくとも１つの更なる帯域部分内の少なくとも１つのリソースブロックの上記割当を識別するための情報を取得し、
少なくとも１つのリソースブロックの上記割当を用いて、上記通信装置を介してユーザデータを通信する、
方法。
【０１５１】
（付記３７）
プログラム可能な通信デバイスに付記３３〜３６のいずれか１つに記載の方法を実行させるためのコンピュータ実施可能命令を含むコンピュータ実施可能命令製品。
【０１５２】
この出願は、２０１５年８月１２日に出願された英国特許出願第１５１４２３５．９号を基礎とする優先権を主張し、その開示の全てをここに取り込む。
【図１】
0006614424.tif 000096
【図２】
0006614424.tif 000097
【図３】
0006614424.tif 000098
【図４】
0006614424.tif 000099
【図５】
0006614424.tif 000100
【図６】
0006614424.tif 000101
【図７】
0006614424.tif 000102